(57)【要約】【課題】側板、妻板または蓋板の表面に化粧布を簡単に張り付けることができ、しかも、張り付けた後の化粧布を簡単に取り替えることができる棺桶を提供する。【解決手段】棺桶は、蓋板１３の外側面に化粧布Ｄａが張り付けられる。蓋板１３の内側面における蓋体１３の外周部に沿って枠体２１が設けられる。枠体２１の枠内には、入れ子２２が着脱可能に収められる。化粧布Ｄａは、蓋板１３の外側面から内側面に向けて折り返される。枠体２１に入れ子２２が収められるとき、枠体２１と入れ子２２との間に、折り返された化粧布Ｄａの端部が挟まれることにより、蓋板１３に化粧布Ｄａが固定される。【選択図】図１０
2014108261.tif 000002
【特許請求の範囲】
【請求項１】
底板と、
この底板の左右に立ち上げられる側板と、
前記底板の前後に立ち上げられる妻板と、
前記側板および前記妻板の上方に載置される蓋板とを備え、
前記側板、前記妻板および前記蓋板のうち少なくとも前記蓋板の外側面に化粧布が張り付けられてなる棺桶において、
前記蓋板の内側面における外周部に沿って設けられる枠体と、
前記枠体の枠内に着脱可能に収められる入れ子と、
前記蓋板の外側面から当該蓋板の内側面に向けて折り返される前記化粧布とを備え、
前記枠体に前記入れ子が収められるとき、前記枠体と前記入れ子との間に、折り返された前記化粧布の端部が挟まれることにより、前記蓋板に前記化粧布が固定されるように構成されたことを特徴とする棺桶。
【請求項２】
底板と、
この底板の左右に立ち上げられる側板と、
前記底板の前後に立ち上げられる妻板と、
前記側板および前記妻板の上方に載置される蓋板とを備え、
前記側板、前記妻板および前記蓋板のうち少なくとも前記側板の外側面に化粧布が張り付けられてなる棺桶において、
前記側板の内側面における外周部に沿って設けられる枠体と、
前記枠体の枠内に着脱可能に収められる入れ子と、
前記側板の外側面から前記側板上部の内側面に向けて折り返される前記化粧布とを備え、
前記枠体に前記入れ子が収められるとき、前記枠体と前記入れ子との間に、折り返された前記化粧布の端部が挟まれることにより、前記側板に前記化粧布が固定されるように構成されたことを特徴とする棺桶。
【請求項３】
底板と、
この底板の左右に立ち上げられる側板と、
前記底板の前後に立ち上げられる妻板と、
前記側板および前記妻板の上方に載置される蓋板とを備え、
前記側板、前記妻板および前記蓋板のうち少なくとも前記側板の外側面に化粧布が張り付けられてなる棺桶において、
前記底板の下側面における外周部に沿って設けられる枠体と、
前記枠体の枠内に着脱可能に収められる入れ子と、
前記側板の外側面から前記底板の下側面に向けて折り返される前記化粧布とを備え、
前記枠体に前記入れ子が収められるとき、前記枠体と前記入れ子との間に、折り返された前記化粧布の端部が挟まれることにより、前記底板に前記化粧布が固定されるように構成されたことを特徴とする棺桶。
【請求項４】
請求項２または３記載の棺桶であって、前記側板に代えて、前記妻板に前記化粧布が張り付けられる、棺桶。
【請求項５】
請求項１〜４のいずれか一項記載の棺桶であって、
前記入れ子を構成する一対の割り板と、
前記一対の割り板が隣り合う位置でこれらの割り板同士を連結するヒンジとを備え、
前記一対の割り板が前記ヒンジを介して同一平面上に連なる展開状態と、前記ヒンジを介してそれぞれ異なる平面上に折り曲げられる折曲状態とが切り替え可能になっており、
加えて、
前記枠体の互いに向き合う内向きの枠面に、それぞれ当該枠面の長さ方向に沿って形成される一対の受け溝と、
前記一対の割り板の前記ヒンジと反対側の端部に、前記一対の受け溝に挿入可能な形状をもって形成される一対の突出部とを備え、
前記枠体と前記入れ子との間に前記化粧布の端部が挟まれるとき、前記割り板が屈曲状態から展開状態に切り替わって前記一対の受け溝に前記一対の突出部が嵌め込まれるように構成されたことを特徴とする棺桶。
【発明の詳細な説明】
【技術分野】
【０００１】
この発明は、棺桶に関するもので、詳しくは、棺表面に化粧布を張り付けた棺桶に関する。
【背景技術】
【０００２】
棺桶の外観に装飾を施す場合、各種の絵柄や刺繍などをあしらった化粧布を採用することがある。木棺や段ボール棺などのリサイクル材料からなる棺桶では、材料の表面を隠すために化粧布が必須の構成となっている場合も少なくない。
従来、このような化粧布を張り付けた棺桶は、箱状に組まれる底板、側板、妻板および蓋板のうち、底板を除く各板の外側面に化粧布が張り付けられる。化粧布を張り付ける固定手段としては、針（ステープル）、釘などの留め具や、接着剤を用いるのが一般的である。
【０００３】
なお、棺桶の装飾に関する従来技術としては、特許文献１が開示されている。
【先行技術文献】
【特許文献】
【０００４】
【特許文献１】特開２００４−９７７３４号公報
【発明の概要】
【発明が解決しようとする課題】
【０００５】
しかしながら、このように従来の棺桶では、棺表面に一旦、化粧布を張り付けると、化粧布の張り替えが困難となる。針（ステープル）や釘を多く使用するため、火葬時に金属片の燃え残りが問題となることもある。
【０００６】
昨今、葬儀の際には、故人の思い出や縁の品を棺に納品するといったことが普通に行われる。最近では、葬儀の様式が多様化に伴って、故人の着物、服などを布地を、棺桶の化粧布として使用したいといった要請も生じている。
【０００７】
これに対し、棺桶の化粧布を簡単に張り替える手段としては、画鋲のような取り外しのできる押しピンで板面に化粧布を留めることが考えられるが、このような棺桶では、押しピンの取り付け・取り外しの作業が面倒になるし、棺桶の外観に押しピンが見えると、製品としての品質低下を招く。
また、予め棺桶のサイズに合わせて化粧布を袋状に縫い付けておき、棺桶に被せる方法もあるが、このような棺桶では、棺桶の表面と化粧布との間に緩みや弛みが生じて、外観が不格好になってしまう。
【０００８】
このような現状の下、本発明者らは、棺表面に化粧布を張り付けるための新たな固定手段について検討を重ね、各種の試作品を作製した。この結果、棺桶の外観として通常見えない箇所に、枠体と入れ子の嵌め合い構造を設けておき、これらの間に化粧布を挟んで固定することにより、化粧布を着脱可能にした棺桶を完成するに至った。
本発明の目的は、棺表面に化粧布を簡単に張り付けることができ、しかも、張り付けた後の化粧布を簡単に取り替えることができる棺桶を提供することにある。
【課題を解決するための手段】
【０００９】
［第１発明］
前記課題を解決するための第１発明の棺桶は、
底板と、
この底板の左右に立ち上げられる側板と、
前記底板の前後に立ち上げられる妻板と、
前記側板および前記妻板の上方に載置される蓋板とを備え、
前記側板、前記妻板および前記蓋板のうち少なくとも前記蓋板の外側面に化粧布が張り付けられてなる棺桶において、
前記蓋板の内側面における外周部に沿って設けられる枠体と、
前記枠体の枠内に着脱可能に収められる入れ子と、
前記蓋板の外側面から当該蓋板の内側面に向けて折り返される前記化粧布とを備え、
前記枠体に前記入れ子が収められるとき、前記枠体と前記入れ子との間に、折り返された前記化粧布の端部が挟まれることにより、前記蓋板に前記化粧布が固定される構成とした。
【００１０】
第１発明における蓋板に化粧布を張り付ける場合の手順としては、例えば、蓋板の外側面を化粧布で覆い、その両端部を蓋板の内側面に折り返す。そして、折り返した化粧布の端部を枠体の内側に入れる。この状態で枠体に入れ子を押し込み、化粧布を引っ張りながら蓋板に固定する。
【００１１】
第１発明の構成によれば、蓋板と化粧布との固定手段として、枠体と入れ子とが採用されるため、針（ステープル）、釘などの留め具や接着剤を使用しなくても、蓋板に化粧布を張り付けることができる。
枠体に対して入れ子が着脱可能であるため、枠体と入れ子とにより蓋板に化粧布を張り付けた後であっても、化粧布を取り外して張り替えることができる。
枠体と入れ子とによる化粧布の張り付け作業は、何度も繰り返し行えるものであり、必ずしも棺桶の製造工場で行う必要はない。葬儀場や棺桶の販売店で好みの化粧布を選択してから蓋板に張り付けることもできる。さらには、故人の思い出や縁のある布地を化粧布として蓋板に張り付けるといった要請にも容易に応えることが可能になる。
【００１２】
［第２発明］
前記課題を解決するための第２発明の棺桶は、
底板と、
この底板の左右に立ち上げられる側板と、
前記底板の前後に立ち上げられる妻板と、
前記側板および前記妻板の上方に載置される蓋板とを備え、
前記側板、前記妻板および前記蓋板のうち少なくとも前記側板の外側面に化粧布が張り付けられてなる棺桶において、
前記側板の内側面における外周部に沿って設けられる枠体と、
前記枠体の枠内に着脱可能に収められる入れ子と、
前記側板の外側面から前記側板上部の内側面に向けて折り返される前記化粧布とを備え、
前記枠体に前記入れ子が収められるとき、前記枠体と前記入れ子との間に、折り返された前記化粧布の端部が挟まれることにより、前記側板に前記化粧布が固定される構成とした。
【００１３】
第２発明における側板に化粧布を張り付ける場合の手順としては、例えば、底板の下に化粧布を敷き、この化粧布の左右を折り上げて側板の外側面を覆い、その両端部を側板の内側面に折り返す。そして、折り返した化粧布の端部を枠体の内側に入れる。この状態で枠体に入れ子を押し込み、化粧布を引っ張りながら側板に固定する。
【００１４】
第２発明の構成によれば、側板と化粧布との固定手段として、枠体と入れ子とを採用するため、針（ステープル）、釘などの留め具や、接着剤を使用しなくても、側板に化粧布を張り付けることができる。
枠体に対して入れ子が着脱可能であるため、枠体と入れ子とにより側板に化粧布を張り付けた後であっても、化粧布を取り外して張り替えることができる。
加えて、第１発明と同様に、葬儀場や販売店で好みの化粧布を選択して側板に張り付けたり、故人の思い出や縁のある布地を化粧布として側板に張り付けることも可能になる。
【００１５】
［第３発明］
前記課題を解決するための第３発明の棺桶は、
底板と、
この底板の左右に立ち上げられる側板と、
前記底板の前後に立ち上げられる妻板と、
前記側板および前記妻板の上方に載置される蓋板とを備え、
前記側板、前記妻板および前記蓋板のうち少なくとも前記側板の外側面に化粧布が張り付けられてなる棺桶において、
前記底板の下側面における外周部に沿って設けられる枠体と、
前記枠体の枠内に着脱可能に収められる入れ子と、
前記側板の外側面から前記底板の下側面に向けて折り返される前記化粧布とを備え、
前記枠体に前記入れ子が収められるとき、前記枠体と前記入れ子との間に、折り返された前記化粧布の端部が挟まれることにより、前記底板に前記化粧布が固定される構成とした。
【００１６】
第３発明における側板に化粧布を張り付ける場合の手順としては、例えば、側板の外側面を化粧布で覆い、その上端部を側板の内側面に折り返して留める。なお、この留め手段としては、第２発明の構成を採用することが可能である。
化粧布の下端部は、底板の下側面に沿って折り曲げ、折り曲げた化粧布の端部を枠体の内側に入れる。この状態で枠体に入れ子を押し込み、化粧布を引っ張りながら底板に固定する。
【００１７】
第３発明の構成によれば、底板と化粧布との固定手段として、枠体と入れ子とを採用するため、針（ステープル）や釘などの留め具や接着剤を使用しなくても、側板に化粧布を張り付けることができる。
枠体に対して入れ子が着脱可能であるため、枠体と入れ子とにより側板に化粧布を張り付けた後であっても、化粧布を取り外して張り替えることができる。
加えて、葬儀場や販売店で好みの化粧布を選択して側板に張り付けたり、故人の思い出や縁のある布地を化粧布として側板に張り付けることも可能になる。
【００１８】
［第４発明］
前記課題を解決するための第４発明の棺桶は、第２発明または第３発明の棺桶であって、前記側板に代えて、前記妻板に前記化粧布が張り付けられる構成とした。
【００１９】
第４発明の構成によっても、化粧布の固定手段として、枠体と入れ子とを採用するため、針（ステープル）や釘などの留め具や接着剤を使用しなくても、妻板に化粧布を張り付けることができる。
枠体に対して入れ子が着脱可能であるため、枠体と入れ子とにより妻板に化粧布を張り付けた後であっても、化粧布を取り外して張り替えることができる。
加えて、葬儀場や販売店で好みの化粧布を選択して妻板に張り付けたり、故人の思い出や縁のある布地を化粧布として妻板に張り付けることも可能になる。
【００２０】
［第５発明］
前記課題を解決するための第５発明の棺桶は、第１〜４発明のいずれか一に記載の棺桶であって、
前記入れ子を構成する一対の割り板と、
前記一対の割り板が隣り合う位置でこれらの割り板同士を連結するヒンジとを備え、
前記一対の割り板が前記ヒンジを介して同一平面上に連なる展開状態と、前記ヒンジを介してそれぞれ異なる平面上に折り曲げられる折曲状態とが切り替え可能になっており、
加えて、
前記枠体の互いに向き合う内向きの枠面に、それぞれ当該枠面の長さ方向に沿って形成される一対の受け溝と、
前記一対の割り板の前記ヒンジと反対側の端部に、前記一対の受け溝に挿入可能な形状をもって形成される一対の突出部とを備え、
前記枠体と前記入れ子との間に前記化粧布の端部が挟まれるとき、前記割り板が屈曲状態から展開状態に切り替わって前記一対の受け溝に前記一対の突出部が嵌め込まれる構成とした。
【００２１】
第５発明の構成によれば、枠体に入れ子を収める場合に、入れ子（一対の割り板）が屈曲状態から展開状態に切り替わり、同時に枠体の受け溝に入れ子（一対の割り板）の突出部が嵌まり込む。このとき、受け溝と突出部との間に化粧布を挟むことにより、化粧布の布面が受け溝側に引っ張られる。この結果、化粧布の張り付ける際に、化粧布に皺や弛みが生じにくくなり、棺桶の仕上がりが良好になる。
さらには、受け溝と突出部との間に化粧布が咬まれるように留められることから、棺表面（蓋板、側板または妻板）からの化粧布の脱落を効果的に防止することができる。
【００２２】
［第１〜５発明］
第１〜５発明において、棺の用途（人用、ペット用等）や種類（寝棺、座棺等）は、特に限定されることはない。蓋形状は、平板状（平棺）の他、蒲鉾状（アール棺）であってもよい。
底板、側板、妻板および蓋板の材料は、木材（合成材や集成材）、段ボール材等を採用することができる。
化粧布の材料については、特に限定されず、綿、絹などの天然繊維の他、合成繊維または半合成繊維を採用してもよい。紙、樹脂等からなるシートまたはフィルムを化粧布として採用することも可能である。これらのシートまたはフィルムにはメッセージや写真、送り絵などをプリントしてよい。
割り板のヒンジは、金属や樹脂等からなる蝶番を採用する他、段ボール材や布材を折り曲げてなるものを採用してもよい。
【００２３】
なお、第１〜５発明は、単独で適用してもよいし、これらの発明を必要に応じて組み合わせて適用することもできる。また、第１〜５発明に本明細書に記載される他の発明を組み合わせてもよい。
【図面の簡単な説明】
【００２４】
【図１】本発明の実施形態による棺桶を示す斜視図である。
【図２】同棺桶の棺本体を示す一部切欠き分解斜視図である。
【図３】（Ａ）は同棺本体の折り畳み状態を示す断面図、（Ｂ）は（Ａ）のＲ部分拡大図である。
【図４】同棺本体の妻板を示すもので、（Ａ）は背面図、（Ｂ）は底面図である。
【図５】同棺桶の蓋板を示すもので、（Ａ）は底面図、（Ｂ）は側面図である。
【図６】同蓋板の枠体から入れ子を外した状態を示すもので、（Ａ）は底面図、（Ｂ）は側面図である。
【図７】同蓋板の入れ子を示すもので、（Ａ）は底面図、（Ｂ）は側面図である。
【図８】同蓋板の入れ子を示すもので、（Ａ）は平面図、（Ｂ）は側面図である。
【図９】図７（Ｂ）の入れ子を示すもので、（Ａ）は展開状態を示す側面図、（Ｂ）は屈曲状態を示す側面図である。
【図１０】同蓋板に化粧布を張り付ける手順を説明する図であって、（Ａ）は枠体に入れ子を収める直前の断面図、（Ｂ）は枠体に入れ子を収めた後の断面図である。
【図１１】同蓋板に化粧布を張り付ける手順を説明する図であって、（Ａ）は枠体に入れ子を収める直前の部分拡大断面図、（Ｂ）は枠体に入れ子を収めた後の部分拡大断面図である。
【図１２】同棺本体を示す底面図である。
【図１３】同棺本体の底面に化粧布を張り付ける手順を説明する図であって、（Ａ）は枠体に入れ子を収める直前の断面図、（Ｂ）は枠体に入れ子を収めた後の断面図である。
【図１４】同蓋板の変形例を示すもので、（Ａ）は底面図、（Ｂ）は側面図である。
【図１５】図１４の蓋板に化粧布を張り付ける手順を説明する図であって、（Ａ）は枠体に入れ子を収める直前の断面図、（Ｂ）は枠体に入れ子を収めた後の断面図である。
【図１６】同棺本体の変形例を示すもので、枠体に入れ子を収める直前の断面図である。
【図１７】同棺桶の枠体および入れ子の変形例を示すもので、（Ａ）は枠体に入れ子を収める直前の部分拡大断面図、（Ｂ）は枠体に入れ子を収めた後の部分拡大断面図である。
【発明を実施するための形態】
【００２５】
以下、本発明の実施形態を図面に基づいて説明する。本実施形態は、強化段ボール材を用いた組立式棺桶に本発明を適用した例である。なお、以下に記載の実施形態およびその変形例は、本発明を適用した形態の一例であり、発明の範囲がこれらの実施形態に限定されるものではない。
【００２６】
［組立式棺桶の構成］
実施形態による棺桶の外観を図１に示した。
棺桶１０は、箱状の棺本体１２と、前後２枚の蓋板１３，１３とからなるもので、これらの外側面に化粧布Ｄａ〜Ｄｃが張り付けられる。棺本体１２の内側には、フリル状の内布Ｆが取り付けられる。
棺桶１０の寸法は、例えば長さ（長辺）が１７０〜２００ｃｍ程度、幅（短辺）が５０〜７０ｃｍ程度、棺本体１２と蓋板１３を含めた高さが４０〜５０ｃｍ程度である。
【００２７】
棺本体１２および蓋板１３の主要部分は、強化段ボール材により形成される。これらの段ボール面を覆い隠すように化粧布Ｄａ〜Ｄｃが張り付けられている。棺本体１２の四隅部、および蓋板１３の前後端部には、木材からなる端材１５が表れる。これらの端材１５は、これらの四隅部および端部を強化するとともに、棺本体１２の組立時に板材同士の継ぎ合わせの強度を確保する役割を果たす。
【００２８】
なお、棺本体１２および蓋板１３の主要部分を形成する材料は、段ボール材に限られず、檜（ヒノキ）、欅（ケヤキ）、杉（スギ）、樅（モミ）等の木材を採用してもよく、これらの木材は、無垢材であってもよいし、合成材、集成材、圧縮成形材（パーティクルボード等）などの木質材料であってもよい。各板の全部または一部に樹脂を採用することも可能である。
【００２９】
図２に示すように、棺本体１２は、底板１２Ａと、側板１２Ｂ，１２Ｂと、妻板１２Ｃとを有している。底板１２Ａの左右に側板１２Ｂ，１２Ｂが立ち上げられ、底板１２Ａの前後に妻板１２Ｃが立ち上げられる。側板１２Ｂ，１２Ｂおよび妻板１２Ｃの上に蓋板１３が載置される。
本実施形態では、棺本体１２が組立式になっている。すなわち、図３に示すように、側板１２Ｂは、所定の高さ位置で内向きに折り畳み可能になっており、図３実線の状態から二点鎖線の起立姿勢に立ち上げられる。このように起立姿勢に保持された状態でその前後端に妻板１２Ｃが後述の係合手段を介して継ぎ合わされることにより、棺本体１２が完成する。
【００３０】
棺本体１２を形成する強化段ボール材としては、好ましくは板厚１０〜２０ｍｍ程度の二層強化段ボール材（例えばトライウォール社製）が採用される。この強化段ボール材は、蓋板１３にも採用されており、図３（Ｂ）に示すように、２枚の厚板（ライナー）Ｒb，Ｒfとの間に、２層の波板ｒ1およびｒ2が仕切り板ｒ3を介して積層されてなる。２枚の厚板（ライナー）Ｒb，Ｒfのうち、棺外側に向く方が外板となり、棺内側に向く方が内板となる。
【００３１】
なお、本実施形態の断面図において、点模様の箇所は、強化段ボール材で形成される部分であり、斜線の箇所は、木材または木質材料で形成される部分である。本実施形態では、二層強化段ボール材を採用しているが、三層強化段ボール材（例えばトライウォール社製）を採用することも可能である。
【００３２】
側板１２Ｂの所定の高さ位置には、ヒンジＨ１が設けられる。このヒンジＨ１は、側板１２Ｂの強化段ボール材の外側部分を切断し、内側部分に残った厚板（ライナー）を折り曲げることにより形成される。
具体的には、強化段ボール材の原板を所定の縦横サイズにカットし、側板１２Ｂの上部と下部との境界線に平面状（断面Ｉ字状）の切り込みを入れる。この切り込みは、強化段ボール材を構成する厚板Ｒb，Ｒfおよび波板ｒ1，ｒ2（図３（Ｂ））のうち、棺内側になる厚板（内板Ｒｆ）を残して他の板を段ボール紙面に対しほぼ垂直に切断して形成する。この厚板（内板Ｒｆ）の残部を側板１２Ｂの上部と下部との境界線（ヒンジ回動軸）に合わせて折り曲げることにより、この折り曲げ線部分がヒンジＨ１となる。
【００３３】
図２〜図４に示すように、側板１２Ｂおよび妻板１２Ｃの開口端部には折返し板１６が形成される。折返し板１６は、強化段ボール材を２列に並んだＶ溝で折り返して形成される。
強化段ボール材を折り曲げる場合は、段ボール層のうち厚板Ｒf，Ｒbのいずれかを残して他の層に回転刃等を用いてＶ溝を形成し、残した片方の厚板（ライナー）のみを折り曲げて、Ｖ溝の傾斜する溝面を互いに密着させる（図３参照）。Ｖ溝の溝角がほぼ９０゜になるようにＶ溝加工を施せば、隣り合う板同士がほぼ垂直に折れ曲がる。Ｖ溝を形成するための他の手段としては、プレス機等で段ボール板を断面Ｖ字状に圧縮してもよい。
なお、本実施形態において、２列のＶ溝の間には強化段ボール材の厚みにほぼ等しい隙間が空けられており、この隙間部分に強化段ボール材からなる中間板１６ａが挟まれる。これにより折返し板１６を含む棺本体１２の上端が強化段ボール材の３枚分の厚さになり、棺本体１２の上に蓋板１３の載置面を広く確保することができる。
【００３４】
このように側板１２Ｂおよび妻板１２Ｃの開口端部に折返し板１６を設けることで、棺本体１２の強度が大幅に高められる。また、棺本体１２に蓋板１３を載せたときの安定感が増す。
【００３５】
側板１２Ｂと妻板１２Ｃとのそれぞれ向き合う位置には、両板を継ぎ合わせるための係合手段（上部係合突起１７および下部係合突起１８：図２参照、係合溝１９：図４参照）が設けられる。
上部係合突起１７は、側板１２Ｂの前後の端面に高さ方向に沿って設けられ、下部係合突起１８は、側板１２Ｂの前後の端面に上部係合突起１７と同一線上に設けられる。そして、妻板１２Ｃの内側面の左右端部に係合溝１９が設けられている。
妻板１２Ｃが側板１２Ｂと前後外側に隣り合う位置に落とし込まれると、係合溝１９が上部係合突起１７から下部係合突起１８にかけてスライド挿入され、起立姿勢の側板１２Ｂに妻板１２Ｃが継ぎ合わされる。
【００３６】
上部係合突起１７および下部係合突起１８と、係合溝１９との係合部分は、横断面ほぼ台形で長さ方向に連なる。つまり、係合溝１９は、アリ溝形状で、その溝底部の幅が開口部の幅よりも広く（図４（Ｂ）参照）、上部係合突起１７および下部係合突起１８は、その付け根部よりも突起先端部の幅が広い。上部係合突起１７および下部係合突起１８に係合溝１９がスライド挿入されると、係合溝１９内に各突起１７，１８がほぼぴったり収まる。これにより、上部係合突起１７および下部係合突起１８と係合溝１９とは、互いに溝長さ方向（高さ方向）には移動可能であるが、溝深さ方向には移動できない関係になって側板１２Ｂに妻板１２Ｃが着脱可能に継ぎ合わされることになる。
【００３７】
係合手段（上部係合突起１７、下部係合突起１８および係合溝１９）の上方には、これらの継ぎ目を隠すための空隙部１７ｓ（図２参照）と被せ部１９ｔ（図４参照）とが設けられる。空隙部１７ｓは、側板１２Ｂの上端より低い位置から上部係合突起１７を設けることにより、その上方に生じる空間であり、被せ部１９ｔは、妻板１２Ｃの上端よりも低い位置から係合溝１９を設けることにより、その上方に形成される妻板１２Ｃの厚み部分である。
係合溝１９が上部係合突起１７から下部係合突起１８にかけてスライド挿入されるとき、空隙部１７ｓに被せ部１９ｔが収まって係合溝１９の内側に上部係合突起１７および下部係合突起１８が隠れる。
【００３８】
［組立式棺桶の組立手順］
次に、棺桶１０の組立手順について説明する。
棺桶１０の使用前は、棺本体１２の側板１２Ｂが内向きに折り畳まれて（図３参照）、妻板１２Ｃが外れた状態にある。棺本体１２を組み立てる場合、まず、図３で左右の側板１２Ｂ，１２Ｂを外向きに立ち上げ、これらを起立姿勢に保って補助板（図示省略）等で仮止めする。
【００３９】
次いで、図２に示すように、側板１２Ｂ，１２Ｂの前後に妻板１２Ｃを落とし込む。このとき、妻板１２Ｃの係合溝１９を、側板１２Ｂの上部係合突起１７から下部係合突起１８にかけてスライド挿入すると、妻板１２Ｃが側板１２Ｂに継ぎ合わされてその起立姿勢が妻板１２Ｃで支持される。
上記のように棺本体１２を組み立てた後、図１に示すように、棺本体１２の上方に蓋板１３を載せることで、棺桶１０の組立が完了する。
棺本体１２を折り畳む場合には、前述と逆の手順で、まず妻板１２Ｃを上方に抜き出し、次いで、左右の側板１２Ｂ，１２Ｂを左右内向きに折り畳む。
【００４０】
［蓋板における化粧布の張り付け］
次に、蓋板１３に化粧布を張り付けるための構成とその手順について説明する。なお、本実施形態において、前後の蓋板１３，１３は同一であるため、片方の構造のみを図示する。
図５〜図８に示すように、蓋板１３は、その内側（裏側）に枠体２１および入れ子２２を備えている。枠体２１は、蓋板１３の外周部に沿って矩形をなすもので、図５で上下に並んだ枠片と、左右に並んだ枠片とにより形成される。これらの枠片に囲まれる矩形の枠内に入れ子２２が着脱可能に収納される。
【００４１】
入れ子２２は、枠体２１の枠内寸法よりも若干小さい縦横寸法をもって平面矩形に形成される板材である。入れ子２２の厚みは、枠体２１の収納空間の深さよりも大きく、枠内に入れ子２２を収めると、枠体２１の板面から入れ子２２の上部がはみ出る（図５（Ｂ）参照）。
蓋板１３に張り付けられる化粧布Ｄａは、枠体２１と入れ子２２との間に挟まれて固定される。
【００４２】
図６（Ｂ）に示すように、枠体２１の左右に向き合う内向きの枠面には、その長さ方向に沿って一対の受け溝２１ｘ，２１ｘが形成される（図（Ｂ）参照）。これらの受け溝２１ｘ，２１ｘは、枠体２１の深さ方向（底部）に向けて左右に枠内空間が拡大するように形成される。つまり、枠体２１の収納空間は、その入口左右寸法よりも底面の左右寸法が長い。
【００４３】
図７および図８に示すように、入れ子２２は、一対の矩形の割り板２２ａ，２２ａにより形成される。割り板２２ａ，２２ａは、強化段ボール材を矩形にカットして形成されるもので、互いに隣り合う位置でヒンジＨ２によって左右に連結されている。
ヒンジＨ２が閉じると、割り板２２ａ，２２ａが同一平面上に連なって展開状態となる（図９（Ａ）参照）。ヒンジＨ２が開くと、割り板２２ａ，２２ａがヒンジ軸を中心として山状に折れ曲がり屈曲状態となる（図９（Ｂ）参照）。
【００４４】
なお、ヒンジＨ２は、前述したヒンジＨ１と同様に、強化段ボール材の外側部分を切断し、内側部分に残った厚板（ライナー）を折り曲げることにより形成される。
具体的には、強化段ボール材の原板を所定の縦横サイズにカットし、割り板２２ａ，２２ａの境界線に平面状（断面Ｉ字状）の切り込みを入れる。この切り込みは、強化段ボール材を構成する厚板Ｒb，Ｒfおよび波板ｒ1，ｒ2（図３（Ｂ）参照）のうち、図９で下側になる厚板（内板Ｒｆ）を残して他の板を段ボール紙面に対しほぼ垂直に切断して形成する。この厚板（内板Ｒｆ）の残部を割り板２２ａ，２２ａの境界線（ヒンジ回動軸）に合わせて折り曲げることにより、この折り曲げ線部分がヒンジＨ２となる。
【００４５】
割り板２２ａ，２２ａのヒンジＨ１と反対側の端部には、突出部２２ｙ，２２ｙが形成される。突出部２２ｙ，２２ｙは、強化段ボール材の左右両端部を斜めにカットして形成されるもので、その先端は、受け溝２１ｘ，２１ｘにほぼぴったり嵌まる形状になっている。
本実施形態では、突出部２２ｙ，２２ｙの先端が、ヒンジＨ２の図９で下向きになるように形成される。図９（Ａ）に示す割り板２２ａ，２２ａの展開状態では、突出部２２ｙ，２２ｙの先端が最も左右外側にあり、図９（Ｂ）に示す割り板２２ａ，２２ａの屈曲状態では、突出部２２ｙ，２２ｙの先端が最も下側にある。
【００４６】
枠体２１に入れ子２２を収納する場合、図１０（Ａ）および図１１（Ａ）に示すように、蓋板１３に巻いた化粧布Ｄａの端部を枠体２１内に入れ、その上に入れ子２２をセットする。割り板２２ａ，２２ａの展開状態のままでは、左右寸法の関係（枠体＜入れ子）で、枠体２１の入口に入らないため、割り板２２ａ，２２ａを屈曲状態にして、その突出部２２ｙ，２２ｙを受け溝２１ｘ，２１ｘに向けて配置する。
このような状態で、割り板２２ａ，２２ａを屈曲状態から展開状態に切り替えると、突出部２２ｙ，２２ｙが受け溝２１ｘ，２１ｘに嵌まり込み、これに伴って化粧布Ｄａが蓋板１３の板面に沿って引っ張られる（図１０（Ｂ）および図１１（Ｂ）参照）。これにより、突出部２２ｙ，２２ｙと受け溝２１ｘ，２１ｘとの間に化粧布Ｄａが挟まって固定される。
【００４７】
図６および図１１に示すように、枠体２１の枠内には、入れ子２２を収める空間からさらに底部に入った位置に蓋裏空間Ｓ１が設けられる。また、図８および図１１に示すように、入れ子２２の裏側（図１１で下側）には蓋裏空間Ｓ２が設けられている。これらの蓋裏空間Ｓ１，Ｓ２には、枠体２１と入れ子２２との間に化粧布Ｄａを挟んで固定するとき、枠内に余った布端が収まる。
このように蓋裏空間Ｓ１，Ｓ２を確保しておくことで、化粧布Ｄａが蓋板１３の板面よりも必要以上に長い場合でも、化粧布Ｄａを裁断することなくそのまま使用することが可能となる。
【００４８】
図１０に示すように、枠体２１の底面と、入れ子２２の内側面とには、それぞれ面ファスナ２５ａおよび２５ｂが取り付けられる。枠体２１の面ファスナ２５ａは、台板２４によって枠体２１の蓋裏空間Ｓ１に突き出すようにその高さが調整される。入れ子２２の面ファスナ２５ａは、割り板２２ａ，２２ａの境界を跨いだ位置でヒンジＨ２に合わせて折れ曲がるように取り付けられている。
枠体２１に入れ子２２を収納すると、面ファスナ２５ａ，２５ｂが互いに位置決めされて密着する。これにより、枠体２１から入れ子２２が脱落するのが防止される。
【００４９】
蓋板１３に化粧布Ｄａを張り付ける場合、例えば、床や台などの平らな面に化粧布Ｄａを敷き、その上に蓋板１３を表裏逆さに向けて置く。蓋板１３の外側面に化粧布Ｄａを合わせて左右に引っ張り、布端部を折り返して枠体２１の内側に入れる。
続いて、図１０に示すように、枠体２１に入れ子２２を配置し、その割り板２２ａ，２２ａを屈曲状態から展開状態に切り替えるようにして枠内に入れ子２２を収納する。このとき、前述したように、枠体２１の受け溝２１ｘと、割り板２２ａの突出部２２ｙとの間に布端部が引っ張られることで、蓋板１３の外側面に沿って化粧布Ｄａに適度な張りが生まれて皺や弛みが解消される。
その後、入れ子２２の中央付近を押さえることにより、面ファスナ２５ａおよび２５ｂを貼り付かせて、枠体２１からの入れ子２２の脱落を防止する。
【００５０】
蓋板１３から化粧布Ｄａを取り外す場合は、枠体２１に収納された入れ子２２を引っ張って面ファスナ２５ａおよび２５ｂのかみ合いを解き、入れ子２１（割り板２２ａ，２２ａ）を展開状態から屈曲状態に戻す。これにより、枠体２１と入れ子２２との間に挟まれていた化粧布Ｄａが開放され、蓋板１３から分離することが可能になる。
【００５１】
このように本実施形態の蓋板１３によれば、蓋板１３と化粧布Ｄａとの固定手段として、枠体２１と入れ子２２とが採用されるため、針（ステープル）、釘などの留め具や接着剤を使用しなくても、蓋板１３に化粧布Ｄａを張り付けることができる。
枠体２１から入れ子２２が着脱可能であるため、蓋板１３に化粧布Ｄａを張り付けた後であっても、化粧布Ｄａを取り外して張り替えることができる。
枠体２１と入れ子２２とによる化粧布Ｄａの張り付け作業は、比較的簡単で、何度も繰り返し行えるから、棺桶１０の製造工場で行う必要はない。葬儀場や販売店で好みの化粧布Ｄａを選択してから蓋板１３に張り付けることもできる。故人の思い出や縁のある布地を化粧布Ｄａとして蓋板１３に張り付けることも可能になる。
さらに、本実施形態では、受け溝２１ｘと突出部２２ｙとの間に化粧布Ｄａを挟むことにより、化粧布Ｄａを受け溝２１ｘ側に引っ張りながら固定することができる。この結果、化粧布Ｄａの張り付け作業を行う際に、布面に皺や弛みが生じにくくなり、棺桶１０の仕上がりが良好になる。
さらには、受け溝２１ｘと突出部２２ｙとの間に化粧布Ｄａが咬まれるように留められることから、蓋板１３からの化粧布Ｄｂの脱落を効果的に防止することができる。
【００５２】
［棺本体における化粧布の張り付け］
棺本体１２では、底板１２Ａ、側板１２Ｂおよび妻板１２Ｃのうち、側板１２Ｂへの化粧布Ｄｂの張り付けに本発明が適用される。
図１２に示すように、棺本体１２の底板１２Ａには、枠体３１と入れ子３２とが設けられており、枠体３１に入れ子３２が着脱可能に収納されている。枠体３１に入れ子３２が収納されるとき、側板１２Ｂの化粧布Ｄｂが両者に挟まれて固定される。
【００５３】
枠体３１は、底板１２Ａの長さ方向に沿って一定幅で延び、底板１２Ａの前後（図１２で上下）は枠内空間が貫通している。枠体３１の左右に向き合う面には、蓋板１３の枠体２１と同様な受け溝が形成される（図１３参照）。
【００５４】
入れ子３２は、一対の割り板３２ａ，３２ａからなり、これらの板がヒンジＨ３（図１３参照）により展開状態から屈曲状態に切り替わるようになっている。割り板３２ａ，３２ａの左右端部には、蓋板１３の入れ子２２と同様に、受け溝に嵌まり合う突出部が形成されている（図１３参照）。
【００５５】
側板１２Ｂに化粧布Ｄｂを張り付ける場合、図１３（Ａ）に示すように、棺本体１２の内側に側板１２Ｂを折り畳んだ状態で、底板１２Ａを上に向けて平らな床や台の上に置く。底板１２Ａの上に化粧布Ｄｂを被せ、その布端を枠体３１の内側に入れる。
次いで、入れ子３２を屈曲状態に保ちながら、枠体３１の上方に持っていき、展開状態に切り替えて枠体３１内に挿入する。これにより、化粧布Ｄｂの端部が枠体３１と入れ子３２との間に挟まれて底板１２Ａに固定される。
なお、図１３では、化粧布Ｄｂが側板１２Ｂの下に回り込んでいるが、この段階では、側板１２Ｂの左右外側に拡げた状態にしてもよい。
【００５６】
上記のように化粧布Ｄｂの端部を底板１２Ａに固定した後、棺本体１２を上下反転させ、正常な向きに戻して側板１２Ｂ，１２Ｂを立ち上げる。そして、化粧布Ｄｂを底板１２Ａの下方から引っ張り上げて、側板１２Ｂ，１２Ｂの上端で棺内側に折り返し、折返し板１６（図２参照）の下まで持ってくる。そして、この化粧布Ｄｂの布端部をタッカー等の針（ステープル）で側板１２Ｂ，１２Ｂの内側面に固定する。このとき、化粧布Ｄｂと一緒に内布Ｆを固定することで、作業工程を簡略化してもよい。
上記の化粧布Ｄｂの固定箇所は、側板１２Ｂの長さ方向に概ね等しい間隔で８〜１０箇所程度に設定すれば足りる。
【００５７】
このような棺本体１２の構成によれば、底板１２Ａと化粧布Ｄｂとの固定手段として、枠体３１と入れ子３２とを採用するため、針（ステープル）等の留め具の使用量を極力減らして側板１２Ｂに化粧布Ｄｂを張り付けることができる。
葬儀場や販売店で好みの化粧布Ｄｂを選択して側板１２Ｂに張り付けたり、故人の思い出や縁のある布地を化粧布Ｄｂとして側板１２Ｂに張り付けることも可能になる。
なお、底板１２Ａの枠体３１および入れ子３２の構成において、前述の蓋板１３と同様に、各板の接触部に面ファスナ３５ａおよび３５ｂを設けておけば、枠体３１から入れ子３２の脱落防止を図ることができる。
【００５８】
棺本体１２における妻板１２Ｃの化粧布Ｄｃについては、従来と同様に、予め化粧布Ｄｃを妻板１２Ｃの表面に張り付けておくか、妻板１２Ｃの表面に化粧布Ｄｃを被せて、これを左右に立ち上げた側板１２Ｂ，１２Ｂに継ぎ合わせるときに、側板１２Ｂ，１２Ｂと妻板１２Ｃとの間に化粧布Ｄｃを挟んで固定してもよい。後者の方法を採用する場合、蓋板１３の化粧布Ｄａと同様にその張り替えや、張り直し等の作業を何度でも繰り返し行うことが可能となる。
【００５９】
［変形例］
以上、本発明の実施形態による棺桶を説明したが、本発明の実施形態は、これらの構成に限定されることなく、種々の変形や変更を伴ってもよい。
前記実施形態では、割り板タイプの入れ子を採用しているが、割り板でない平板状の入れ子を採用してもよい。
図１４に示す変形例１では、蓋板１３の入れ子２２が割り板になっておらず、一枚の平板を矩形にカットして形成される。入れ子２２を屈曲状態にするためのヒンジも存在しない。枠体２１と入れ子２２の嵌め合わせ面は、蓋板１３に対しほぼ垂直に形成されており、前記実施形態の受け溝２１ｘおよび突出部２２ｙは採用されない。
【００６０】
このような構成によれば、枠体２１の内側に化粧布Ｄａを入れて、入れ子２２をそのまま枠体２１に押し込めば、枠体２１と入れ子２２との間に化粧布Ｄａが挟まれて固定される（図１５参照）。これにより、針（ステープル）や釘などを使用しなくとも化粧布Ｄａを蓋板１３に張り付けることができる。
枠体２１と入れ子２２との間に面ファスナ２５ａおよび２５ｂを取り付けておけば入れ子２２の脱落を効果的に防ぐこともできる。
【００６１】
前記実施形態において、棺本体１２の側板１２Ｂに枠体および入れ子の構造を採用してもよい。
図１６に示す変形例２では、側板１２Ｂの内側に枠体５１と入れ子５２とが設けられる。枠体５１および入れ子５２は、蓋板１３の枠体２１および入れ子２２と実質的に同一の構成である。面ファスナ等の構成についても、前記実施形態と同様である。
【００６２】
このような構成によれば、側板１２Ｂに化粧布Ｄｂを張り付ける場合、化粧布Ｄｂの下端部を底板１２Ａ側の枠体５１と入れ子３２との間に挟んで固定する一方、化粧布Ｄｂの上端部を側板１２Ｂの枠体５１および入れ子５２との間に挟んで固定することができる。側板１２Ｂの内側に留める内布Ｆについても、側板１２Ｂの枠体５１と入れ子５２とに挟んで固定することができる。この結果、針（ステープル）や釘等の留め具を使用しなくとも、側板１２Ｂに化粧布Ｄｂを張り付けることが可能になる。
【００６３】
受け溝２１ｘおよび突出部２２ｙの形状については、前記実施形態に限定されず、両者が嵌まり合う関係にあればよい。
図１７に示す変形例３は、割り板２２ａの突出部２２ｙにフック６１を採用したものである。突出部２２ｙの先端に上向きのフック６１が形成される。受け溝２１ｘには、フック６１を受け入れる空間が図１７で上方に拡大形成される。
受け溝２１ｘに突出部２２ｙを押し込むと、枠体２１が弾性的に変形し、受け溝２１ｘの拡大された空間にフック６１が嵌まる。受け溝２１ｘに突出部２２ｙが収まると、フック６１が突出部２２ｙの抜け止めの役割を果たす。
【００６４】
このような構成によれば、枠体２１から入れ子２２がさらに脱落しにくくなるため、布張りの信頼性が高まる。化粧布Ｄａのズレや緩みも抑制されるため、棺桶１０の外観の仕上がりを向上させることができる。
【００６５】
前記実施形態では、組立式棺桶に本発明を採用したが、組立式ではない通常の棺桶に本発明を適用することももちろん可能である。前記実施形態の蓋板は、平板タイプであるが、横断面の形状がアーチ形、台形等である立体的な蓋板に本発明を適用することも可能である。
【符号の説明】
【００６６】
１０・・棺桶
１２・・棺本体    １３・・蓋板
１２Ａ・・底板    １２Ｂ・・側板    １２Ｃ・・妻板
１５・・端材    １６・・折返し板    
１７，１８・・係合突起    １９・・係合溝    １７ｓ・・空隙部    １９ｔ・・被せ部
２１・・枠体    ２２・・入れ子    ２２ａ・・割り板
２１ｘ・・受け溝  ２２ｙ・・突出部    ２４・・台板、２５ａ，２５ｂ・・面ファスナ
Ｄａ，Ｄｂ，Ｄｃ・・化粧布    Ｆ・・内布    Ｈ１〜Ｈ３・・ヒンジ
Ｓ１，Ｓ２・・蓋裏空間    
【図１】
2014108261.tif 000003
【図２】
2014108261.tif 000004
【図３】
2014108261.tif 000005
【図４】
2014108261.tif 000006
【図５】
2014108261.tif 000007
【図６】
2014108261.tif 000008
【図７】
2014108261.tif 000009
【図８】
2014108261.tif 000010
【図９】
2014108261.tif 000011
【図１０】
2014108261.tif 000012
【図１１】
2014108261.tif 000013
【図１２】
2014108261.tif 000014
【図１３】
2014108261.tif 000015
【図１４】
2014108261.tif 000016
【図１５】
2014108261.tif 000017
【図１６】
2014108261.tif 000018
【図１７】
2014108261.tif 000019
【手続補正書】
【提出日】平成25年8月27日(2013.8.27)
【手続補正１】
【補正対象書類名】明細書
【補正対象項目名】０００６
【補正方法】変更
【補正の内容】
【０００６】
昨今、葬儀の際には、故人の思い出や縁の品を棺に納品するといったことが普通に行われる。最近では、葬儀の様式が多様化に伴って、故人の着物、服などの布地を、棺桶の化粧布として使用したいといった要請も生じている。
【手続補正２】
【補正対象書類名】明細書
【補正対象項目名】０００８
【補正方法】変更
【補正の内容】
【０００８】
このような現状の下、本発明者らは、棺表面に化粧布を張り付けるための新たな固定手段について検討を重ね、各種の試作品を作製した。この結果、棺桶の外観として通常見えない箇所に、枠体と入れ子との嵌め合い構造を設けておき、これらの間に化粧布を挟んで固定することにより、化粧布を着脱可能にした棺桶を完成するに至った。
本発明の目的は、棺表面に化粧布を簡単に張り付けることができ、しかも、張り付けた後の化粧布を簡単に取り替えることができる棺桶を提供することにある。
【手続補正３】
【補正対象書類名】明細書
【補正対象項目名】００５０
【補正方法】変更
【補正の内容】
【００５０】
蓋板１３から化粧布Ｄａを取り外す場合は、枠体２１に収納された入れ子２２を引っ張って面ファスナ２５ａおよび２５ｂのかみ合いを解き、入れ子２２（割り板２２ａ，２２ａ）を展開状態から屈曲状態に戻す。これにより、枠体２１と入れ子２２との間に挟まれていた化粧布Ｄａが開放され、蓋板１３から分離することが可能になる。